(57)【特許請求の範囲】
【請求項１】
伸張した布を有する擬似壁用のレール（１００）であって、
前記レール（１００）を壁に取り付けるための第１翼部（３）と、
前記布を掛けられるように配された第１溝部（６）と、
前記第１溝部（６）と前記第１翼部（３）の間に設けられ、内部に照明要素が設置された第２溝部（７）と、
前記第１溝部（６）と前記第２溝部（７）とを互いに左右に区切っている壁部（４）と、
第２翼部（５）と、を備え、
前記壁部（４）と前記第２翼部（５）とによって前記第１溝部（６）は左右を区切られており、
前記壁部（４）はその上端から下端に向けて、前記第１翼部（３）を含む平面へ近づく方向に傾斜しており、
前記第２翼部（５）は、前記壁部（４）に対して実質的に平行に延びており、
前記レール（１００）は、前記第２溝部（７）を部分的に塞ぐカバー（１０）を備え、前記カバーは、前記壁部（４）に取り付けられた前記照明要素の下方に延びるように配されていることを特徴とする、レール（１００）。
【請求項２】
前記壁部（４）は、前記第２溝部（７）の内部へ延びる肩部（１１）を備え、前記肩部が前記カバー（１０）を形成していることを特徴とする、請求項１に記載のレール（１００）。
【請求項３】
前記壁部（４）の端部に設けられた前記肩部（１１）は、前記第１溝部（６）の内部へ延びる延長部（１２）を有し、前記延長部が前記布を掛けるための肩部を形成していることを特徴とする、請求項２に記載のレール（１００）。
【請求項４】
前記照明要素は、エレクトロルミネセントダイオード（９）を備えることを特徴とする、請求項１〜３のいずれか一項に記載のレール（１００）。
【請求項５】
請求項１〜４のいずれか一項に記載のレール（１００）と、
前記レール（１００）の前記第１溝部（６）に取り付けられた伸張した布（２）と、
を少なくとも備える、擬似壁。
【発明の詳細な説明】
【技術分野】
【０００１】
本発明は、擬似壁（擬似天井または擬似壁）の分野に関する。
【０００２】
より詳細には、本発明は、伸張した布を有する擬似壁用の照明付きレールおよび伸張した布が取り付けられた該レールを備える擬似壁に関する。
【背景技術】
【０００３】
伸張した布を有する擬似壁用の照明付きレールは、出願ＷＯ２０１４／０８０１２４から知られる。この文献に開示されているレールは、レールを壁に取り付けるための外側翼部と、シートを取り付けるための肩部が設けられた内側溝部と、内側溝部と外側翼部の間に設けられた外側溝部とを形成しているレール部、および、下方に照明を当てるように外側溝部の底に取り付けられた内蔵式の照明システムを備えている。このレールは、外側溝部に取り付けられたディフューザをさらに備え、このディフューザが該溝部を全体的に塞いでいる。照明システムによって発せられた光を散乱させることを目的としているこのディフューザは、好ましくは半透明の材料で作られている。ディフューザは、外側溝部を区切っている壁部に、好ましくは取り外し可能な取り付け手段を用いて固定されている。
【０００４】
しかし、上述の出願に開示されたレールにはいくつかの欠点がある。第一に、該レールは、ディフューザそのものの存在によって、強い照明を行える可能性がない。次に、照明システムを収容している溝部がディフューザによって塞がれているものの、完全に密閉されることはほとんどなく、そのため塵埃粒子などの浮遊性の粒子が時間の経過とともに溝部の内部およびディフューザ上に堆積する。照明システムが作動している際、そのときディフューザの内面上に存在している粒子が、レールのディフューザを介した照明付与に影響し、そのような粒子が黒いしみのように見える。さらに、ディフューザの溝部への取り付けは、依然として比較的時間のかかる面倒な作業である。
【発明の概要】
【発明が解決しようとする課題】
【０００５】
本発明は、影が映ることや陰った部分ができることを回避しつつ眩しさのない強い照明を当てる照明付きレールを提供することによって上記の課題を解決することを目的とする。
【０００６】
本発明はまた、布の容易な装着を確保する美的に優れた照明付きレールを提供することを目的とする。
【課題を解決するための手段】
【０００７】
この目的のために、第１の側面において、本発明は、伸張した布を有する擬似壁用のレールであって、レールを壁に取り付けるための第１翼部と、布を掛けられるように配された第１溝部と、第１溝部と第１翼部の間に設けられ、内部に照明要素が設置された第２溝部とを備えるとともに、第２溝部を部分的に塞ぐカバーを備え、該カバーが、第１溝部と第２溝部とを互いに左右に区切っている壁部に取り付けられた照明要素の下方に延びるように配されていることを特徴とするレールを提供する。
【０００８】
照明要素の溝部における位置と照明要素の下方に位置するカバーの存在とによって、照明要素から発せられた光の強度が眩しさのないまま確保される。加えて、照明要素の下方にカバーが存在することによって、照明要素および照明要素に付随する電気システムならびに固定用要素などの何らかの美的でない要素を隠すことができる。さらに、シート付近に影が映ることや陰った部分ができることがない。
【０００９】
有利には、壁部が第２溝部の内部へ延びる肩部を備え、該壁部がカバーを形成する。このような構成は、カバーがレールに直接作製されるため、照明要素の溝部への配置に際してレールに取り付けられることになる何らかの追加の要素を用いずに済むという点で有利である。カバーがレールの製造中に形成されるため、レールの製造が簡素化され、レールに照明を施すための作業が溝部の側壁への照明要素の取り付けのみになる。
【００１０】
有利には、肩部が壁部の端部に設けられ、第１溝部の内部へ延びる延長部を有し、該延長部が布を掛けるための肩部を形成する。このような配置であれば、布を収容している溝部で陰った部分ができることが回避される。
【００１１】
有利には、壁部が第１翼部を含む平面へ近づく方向に延びている。このような構成であれば、照明要素を隠すことができる。
【００１２】
有利には、肩部が６〜７ミリメートルの長さを有する。このような範囲の長さであれば、照明要素を取り付けるための十分な進入口と光の拡散に最適な開口とを確保しながら照明要素を効率的に隠すことができる。
【００１３】
有利には、照明要素がエレクトロルミネセントダイオードを備える。
【００１４】
有利には、レールが第１溝部を壁部とともに左右から区切る第２翼部を備え、該第２翼部が壁部に対して実質的に平行に延びている。
【００１５】
本発明はまた、先行する請求項のいずれか一項に記載のレールと、該レールの第１溝部に取り付けられた伸張した布とを少なくとも備える擬似壁に関する。
【００１６】
本発明の他の目的および利点が、添付の図面を参照してなされる以下の説明から明らかになるであろう。
【図面の簡単な説明】
【００１７】
【図１】図１は、伸張した布が掛けられた、本発明の第１実施形態に係る擬似壁用のレールの断面図である。
【図２】図２は、伸張した布が掛けられた、本発明の第２実施形態に係る擬似壁用のレールの断面図である。
【発明を実施するための形態】
【００１８】
明確さのために、各種実施形態における同一または類似の要素は、全ての図において同一の参照符号を用いて示す。
【００１９】
さらに、「鉛直」、「水平」、「下」、「上」、「下方」という用語は、以下、図示したレールの配置を基準にして定義される。
【００２０】
図１および図２に示したレールは、伸張した布とともに擬似天井を形成するために壁に取り付けられるものである。図は、レールを壁に固定した場合のレールの配置を示している。
【００２１】
図１は、伸張した布２が掛けられた照明付きレール１の第１実施形態を示している。
【００２２】
レール１は、レール１を壁４（図示せず）に取り付けるための第１翼部３と、布２の取り付けを可能にするように配された第１溝部６と、第１溝部６と第１翼部３の間に配された第２溝部７とを有するレール部を備えている。図示した実施形態では、第１翼部３が鉛直である。
【００２３】
第１溝部６および第２溝部７はそれぞれ、下方を向いた開口を呈している。これら溝部は、壁部４によって互いに左右に区切られており、この壁部４を以下では共通壁部４と称する。図示した実施形態では、共通壁部４は第１翼部３に対して平行に延びている。
【００２４】
共通壁部４は、第１翼部３に対して実質的に垂直に延びるコア部８を介して第１翼部３とつながっている。図示した実施形態では、コア部８は第１翼部３の途中から延びている。したがって、第２溝部７は、第１翼部３のコア部８よりも下方に延びる部分（下側部分３Ａ）と共通壁部４とによって左右を区切られており、コア部８が第２溝部７の底を形成している。本発明に係るレール１がこの構成に限定されないことはもちろんであり、第１翼部の図示した高さとは別の高さから延びているコア部、または第１翼部の一方の端部から延びているコア部、が設けられてもよい。
【００２５】
レール部は、共通壁部４に平行な第２翼部５を有している。第２翼部５は、その下端に、第１翼部３側とは反対の方向に垂直に延びる突起１３を有している。第２翼部５は、腕部１４を介して共通壁部４とつながっている。図示した実施形態では、腕部１４は共通壁部４の途中から延びている。したがって、第１溝部６は、第２翼部５と、共通壁部４の腕部１４よりも下方に延びる部分とによって左右を区切られており、腕部１４が第１溝部６の底を形成している。本発明に係るレール１がこのような構成に限定されないことはもちろんであり、共通壁部の図示した高さとは別の高さから延びる腕部、またはコア部８の延長部としての腕部、が設けられてもよい。
【００２６】
図１に示すように、共通壁部４の腕部４より上方に位置する部分は、レール部を別のレール部に組み合わせるための手段を受けるためのレール１５を形成するように配されている。
【００２７】
第２溝部７は、共通壁部４に取り付けられたエレクトロルミネセントダイオード９またはその他の照明要素を備えている。図示した実施形態では、ダイオード９は共通壁部４に直接取り付けられている。有利な構成では、ダイオード９は共通壁部４に支持具を介して取り付けられていてもよく、この支持具はブレードであってもよい。このような配置は、支持具を共通壁部４に取り付けるだけでダイオード９を固定できるようにダイオードを予め支持具に取り付けておくことで、ダイオード９の共通壁部４への速やかで容易な取り付けが可能になるという点で有利である。
【００２８】
ダイオード９からの光を拡散するのに十分な間隔を確保しながら、ダイオード９、ダイオード９を固定している要素、およびダイオード９に付随する電気システムの美的でない外観を回避するために、レール１は、第２溝部７を部分的に塞ぐカバー１０を備え、該手段がダイオード９の下方に延びるように配されている。図示した実施形態では、カバー１０は、擬似天井の下方に立っているユーザーの目からダイオード９を隠すのに十分な長さで第２溝部７の内部へ延びている肩部１１からなる。この目的のためには、６〜７ミリメートルの長さを有する肩部を設けると有利である。
【００２９】
図示した実施形態では、肩部１１は、共通壁部４の下端に設けられている。また、肩部１１は、第１溝部６の内部へ延びる延長部１２を有し、該延長部１２が、布２の縁部に設けられたフック２０またはその他の同等の手段を掛けるための肩部を形成している。肩部１１および延長部１２は、共通壁部４に対して実質的に垂直に延びている。
【００３０】
図示した実施形態では、第１翼部３、共通壁部４、および第２翼部５は全て平行である。共通壁部４は第１翼部３の下側部分を超えて延びている。これにより、照明の当たった環境を陰った部分のない状態で確保できる。
【００３１】
図２は、伸張した布２が掛けられた照明付きレール１００の第２実施形態を示している。
【００３２】
該レール１００は、上記レール１の全ての特徴を利用している。ただし、レール１００では、共通壁部４および第２翼部５の向きが異なっている。
【００３３】
より詳細には、共通壁部４が、第１翼部３の下側部分３Ａへ近づく方向に延びるように配されている。共通壁部４のこのような傾斜により、ダイオード９、ダイオード固定要素、およびダイオードに付随する電気システムをよりよく隠すことができる。
【００３４】
レール１００に布２を取り付けている要素（フック２０または同等の手段）をもよりよく隠すために、第２翼部５も第１翼部３の下側部分へ近づく方向に延びるように傾斜している。図示した実施形態では、第２翼部５は共通壁部４に対して平行に延びている。
【００３５】
上述したように、肩部１１およびその延長部１２は、共通壁部４の端部に設けられ、共通壁部４に対して実質的に垂直に延びている。
【００３６】
図示した実施形態では、第２翼部５は、その自由端部（布支持用突起が設けられた端部）が第１翼部の下側部分３Ａの自由端部３０と同じ高さに位置するような長さを有している。共通壁部４の寸法は、その一方の端部が第１翼部３の下側部分３Ａの下端３０よりも高い位置で止まるような寸法である。共通壁部４は、有利には、延長部１２と第２翼部５の自由端部とが実質的に鉛直方向において一直線上に並ぶような長さを有している。このような構成は、擬似天井の下方に立っている人、より詳細にはレールの真下に立っている人からフックを見えなくするという点で有利である。
【００３７】
図示した実施形態では、レール部を別のレール部と組み合わせるために設けられたレール１５が、第１翼部３のコア部８より上方に位置する部分にある。
【００３８】
以上、本発明を例示的に説明した。当業者は、本発明の範囲を逸脱することなく本発明の様々な他の実施形態を提供できることはもちろんである。
【図１】
0006718209.tif 000002
【図２】
0006718209.tif 000003